(57)【要約】【課題】遊技盤を形成する場合に多量の天然資源を消費することを抑えることが可能であるとともに、遊技盤に取り付けた部品等が強固に保持される遊技盤を備えた遊技機を提供する。【解決手段】複数の板を重合して成形される基板１ａに複数の遊技関連部品を取り付けてなる遊技盤１を備えた遊技機において、遊技盤１を構成する基板１ａを、遊技関連部品が取り付けられる前面層ＦＬおよび裏面層ＢＬと、これらの間に構成される中間層ＣＬとから構成し、前面層ＦＬ及び裏面層ＢＬは、樹木から切り出されて製造される天然板（単板４４，４５）にて構成し、中間層ＣＬは、複数の木片から製造される木質系の人工板（パーチクルボード４１〜４３）にて構成する。【選択図】図５
2009072526.tif 000002
【特許請求の範囲】
【請求項１】
複数の板を重合して成形される基板に複数の遊技関連部品を取り付けてなる遊技盤を備えた遊技機において、
前記基板は、前記遊技関連部品が取り付けられる前面層および裏面層と、該前面層および裏面層の間に構成される中間層と、から構成し、
前記前面層及び／又は裏面層は、樹木から切り出されて製造される天然板にて構成し、
前記中間層は、複数の木片から製造される木質系の人工板にて構成したことを特徴とする遊技機。
【請求項２】
前記前面層及び前記中間層の一部、或いは、前記裏面層及び前記中間層の一部によって、前記遊技関連部品を止着する止着部材の脱落を防止する脱落防止層を構成し、
前記脱落防止層は、前記止着部材の止着部のほぼ全域が挿通可能な厚みで形成したことを特徴とする請求項１に記載の遊技機。
【請求項３】
前記遊技関連部品は、前記基板に埋設されて遊技に供する遊技球が衝突する遊技釘を含み、
前記脱落防止層は、前記遊技釘の植設部位のほぼ全域が挿通されることを特徴とする請求項２に記載の遊技機。
【請求項４】
前記人工板は、微細な木片を圧縮成形した第１木質系板状体と、前記第１木質系板状体よりも大きな木片を圧縮成形した第２木質系板状体と、から形成し、
前記第１木質系板状体を、前記第２木質系板状体よりも前記前面層側及び／又は裏面層側に配設し、該第１木質系板状体を前記脱落防止層の一部としたことを特徴とする請求項３に記載の遊技機。
【請求項５】
前記脱落防止層は、前記第１木質系板状体と前記第２木質系板状体との間にも、前記天然板を配設したことを特徴とする請求項４に記載の遊技機。
【請求項６】
前記脱落防止層は、前記天然板と前記第１木質系板状体との間に、当該天然板と第１木質系板状体とを強固に接着する接着部材から構成される接着層を形成したことを特徴とする請求項４に記載の遊技機。
【請求項７】
前記前面層、中間層及び裏面層を有して所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記止着部材及び／又は前記遊技釘の取付位置に対応して形成したことを特徴とする請求項６に記載の遊技機。
【請求項８】
前記脱落防止層は、該脱落防止層のほぼ全厚みを前記天然板で形成したことを特徴とする請求項２に記載の遊技機。
【請求項９】
基板に複数の遊技関連部品を取り付けてなる遊技盤を備えた遊技機において、
樹木から切り出されて製造される天然板、又は／及び複数の木片から製造される木質系の人工板から、所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記遊技関連部品を止着する止着部材及び／又は前記基板に埋設されて遊技に供する遊技球が衝突する遊技釘の取付位置に対応して形成したことを特徴とする遊技機。
【発明の詳細な説明】
【技術分野】
【０００１】
本発明は、複数の板を重合して成形される基板に複数の遊技関連部品を取り付けてなる遊技盤を備えた遊技機に関する。
【背景技術】
【０００２】
従来、遊技機としてパチンコ機の遊技盤には前面側及び裏面側に複数の部品が取り付けられている。前面側には、ガイドレール、盤面飾り、入賞装置、サイドランプ、風車、遊技釘などが取り付けられ、裏面側には液晶表示器、各種制御装置、集合樋、各種電子部品などが取り付けられている。
そして、遊技盤のベースとなる基板は、複数の単板（樹木から形成）を化学系接着剤で貼り合わせ、ベニヤ板と呼ばれるような合板で形成されている。
ところで、近年は資源の有効活用という観点から、遊技機に使用されている部材においてもリサイクルを行う考え方が活発化している。そこで、遊技機の前面側及び裏面側に取り付けられた各種部品を取り外し、リサイクルに供するという行動が取られている。
また、上記遊技機の前面側及び裏面側に取り付けられた部品以外にも、遊技盤自体を解体し、この遊技盤に使用された単板をリサイクルするという遊技盤が提案された（特許文献１参照）。
【０００３】
【特許文献１】特開２００３−１９０４３９号公報
【発明の開示】
【発明が解決しようとする課題】
【０００４】
しかしながら、上記特許文献１では、遊技盤に使用した部品（単板）を他の製品に利用するということは可能であるが、この遊技盤を形成する場合に複数の単板を使用しているため、多量の天然資源を消費することが必要とされる。
すなわち、遊技盤を形成する場合に多量の天然資源を確保するため、多くの森林伐採などが行われているという背景があり、この課題を解決可能な従来の単板に変わる部材を用いて遊技盤を形成することが望まれている。
また、遊技盤には複数の遊技関連部品（ガイドレール、入賞装置、風車等）や数百本から成る遊技釘が取り付けられており、特に遊技釘は遊技球が衝突する圧力に耐え得るように遊技盤に対して強固に植設される必要がある。よって、上記従来の単板に変わる部材は、この遊技釘を強固に保持することが可能な強度を有することが要求される。
そこで本発明は、遊技盤を形成する場合に多量の天然資源を消費することを抑えることが可能であるとともに、遊技盤に取り付けた部品等が強固に保持される遊技盤を備えた遊技機を提供することを目的とする。
【課題を解決するための手段】
【０００５】
本願請求項１に記載の遊技機は、複数の板を重合して成形される基板に複数の遊技関連部品を取り付けてなる遊技盤を備えた遊技機において、
前記基板は、前記遊技関連部品が取り付けられる前面層および裏面層と、該前面層および裏面層の間に構成される中間層と、から構成し、
前記前面層及び／又は裏面層は、樹木から切り出されて製造される天然板にて構成し、
前記中間層は、複数の木片から製造される木質系の人工板にて構成したことを特徴とする。
ここで、前面層と裏面層のうちの一方は天然板でなく、例えば、複数の木片から製造される木質系の人工板であってもよい。
また、「樹木から切り出されて製造される天然板」とは、平削りによって樹木から切り出される無垢板であってもよいが、天然資源の効率的な利用という観点或いはコスト面からは、いわゆるベニヤ板（合板）を製造する際の単板であることが望ましい。ベニヤ板のような合板を製造するには、最初にロータリーレースと呼ばれる装置を用いて原木から中間生成物である単板を作る。この装置は原木丸太の中心を軸に回転させ、刃を当てるもので、丸太は大根のかつら剥きのように薄板となって出てくる。これを所定の長さでカットし、乾燥させることで単板が作られる。この単板を本発明の天然板として利用できる。
また、「複数の木片から製造される木質系の人工板」とは、後述するように例えばパーチクルボードである。
【０００６】
なお、本発明の好ましい態様として、例えば請求項２に記載のように、前記前面層及び前記中間層の一部、或いは、前記裏面層及び前記中間層の一部によって、前記遊技関連部品を止着する止着部材の脱落を防止する脱落防止層を構成し、
前記脱落防止層は、前記止着部材の止着部のほぼ全域が挿通可能な厚みで形成した構成としてもよい。
【０００７】
また、例えば請求項３に記載のように、前記遊技関連部品は、前記基板に埋設されて遊技に供する遊技球が衝突する遊技釘を含み、
前記脱落防止層は、前記遊技釘の植設部位のほぼ全域が挿通される構成としてもよい。
また、例えば請求項４に記載のように、前記人工板は、微細な木片を圧縮成形した第１木質系板状体と、前記第１木質系板状体よりも大きな木片を圧縮成形した第２木質系板状体と、から形成し、
前記第１木質系板状体を、前記第２木質系板状体よりも前記前面層側及び／又は裏面層側に配設し、該第１木質系板状体を前記脱落防止層の一部とした構成としてもよい。
【０００８】
また、例えば請求項５に記載のように、前記脱落防止層は、前記第１木質系板状体と前記第２木質系板状体との間にも、前記天然板を配設した構成としてもよい。
また、例えば請求項６に記載のように、前記脱落防止層は、前記天然板と前記第１木質系板状体との間に、当該天然板と第１木質系板状体とを強固に接着する接着部材から構成される接着層を形成した構成としてもよい。
【０００９】
また、例えば請求項７に記載のように、前記前面層、中間層及び裏面層を有して所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記止着部材及び／又は前記遊技釘の取付位置に対応して形成した構成としてもよい。
また、例えば請求項８に記載のように、前記前記脱落防止層は、該脱落防止層のほぼ全厚みを前記天然板で形成した構成としてもよい。
【００１０】
また、請求項９に記載の遊技機は、基板に複数の遊技関連部品を取り付けてなる遊技盤を備えた遊技機において、
樹木から切り出されて製造される天然板、又は／及び複数の木片から製造される木質系の人工板から、所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記遊技関連部品を止着する止着部材及び／又は前記基板に埋設されて遊技に供する遊技球が衝突する遊技釘の取付位置に対応して形成したことを特徴とする。
【発明の効果】
【００１１】
請求項１に記載の遊技機によれば、遊技盤を構成する基板を、遊技関連部品が取り付けられる前面層および裏面層と、該前面層および裏面層の間に構成される中間層と、から構成し、前面層及び／又は裏面層は、樹木から切り出されて製造される天然板にて構成し、中間層は、複数の木片から製造される木質系の人工板にて構成したので、天然板の使用量を削減することができる。
したがって、天然資源の消費量を削減でき、森林伐採等の環境破壊防止に協力した遊技機とすることができる。
また、遊技盤を構成する基板の前面層及び／又は裏面層には、従来同様に天然板を使用しているので、遊技盤を形成するために新たな設備を導入する必要がなく、製造負担が発生することも防止できる。
【００１２】
また、請求項２に記載の遊技機によれば、前面層及び中間層の一部、或いは、裏面層及び中間層の一部によって、遊技関連部品を止着する止着部材の脱落を防止する脱落防止層を構成し、この脱落防止層は、止着部材の止着部のほぼ全域が挿通可能な厚みで形成したので、遊技関連部品を遊技盤に強固に保持することができる。したがって、遊技関連部品に遊技球が衝突して遊技盤から脱落する等の不具合が発生することを防止することができる。
【００１３】
また、請求項３に記載の遊技機によれば、遊技関連部品は、遊技に供する遊技球が衝突する遊技釘を含み、脱落防止層は、遊技釘の植設部位のほぼ全域が挿通されるので、遊技釘を遊技盤に強固に保持することができる。したがって、遊技釘に遊技球が衝突して遊技盤から脱落する等の不具合が発生することを防止することができる。
【００１４】
また、請求項４に記載の遊技機によれば、人工板は、微細な木片を圧縮成形した第１木質系板状体と、第１木質系板状体よりも大きな木片を圧縮成形した第２木質系板状体と、から形成し、第１木質系板状体を、第２木質系板状体よりも前面層側及び／又は裏面層側に配設し、該第１木質系板状体を脱落防止層の一部としたので、遊技関連部品及び遊技釘を遊技盤に強固に保持することができる。したがって、遊技関連部品及び遊技釘に遊技球が衝突して遊技盤から脱落する等の不具合が発生することを防止することができる。また、遊技盤を構成する基板の中心側に、第１木質系板状体よりも大きな木片を圧縮成形した比較的安価な第２木質系板状体を使用しているので、遊技盤のコスト低減が図れる。
【００１５】
また、請求項５に記載の遊技機によれば、脱落防止層は、第１木質系板状体と第２木質系板状体との間にも、天然板を配設したので、第１木質系板状体を挟むように配設された２枚の天然板に対して、止着部材と遊技釘が取り付けられることとなり、遊技釘を含む遊技関連部品を遊技盤により強固に保持することができる。
【００１６】
また、請求項６に記載の遊技機によれば、脱落防止層は、天然板と第１木質系板状体との間に、当該天然板と第１木質系板状体とを強固に接着する接着部材から構成される接着層を形成したので、接着層を止着部材及び遊技釘が挿通することとなり、遊技釘を含む遊技関連部品を遊技盤により強固に保持することができるようになる。
【００１７】
また、請求項７に記載の遊技機によれば、前記前面層、中間層及び裏面層を有して所定形状にユニット化したユニット部材を形成するとともに、合成樹脂から成る合成樹脂盤に前記ユニット部材を嵌入可能なユニット嵌入領域を形成し、前記合成樹脂盤のユニット嵌入領域に前記ユニット部材を嵌入することによって前記遊技盤の基板を構成し、前記ユニット嵌入領域は、止着部材及び／又は遊技釘の取付位置に対応して形成した。このため、天然板及び木質系の人工板の使用量を削減することができる。したがって、天然資源としての天然板、リサイクル資源としての人工板の消費量を削減でき、森林伐採等の環境破壊防止に協力するとともに、資源の有効活用に協力した遊技機とすることができる。
【００１８】
また、請求項８に記載の遊技機によれば、脱落防止層は、該脱落防止層のほぼ全厚みを天然板で形成したので、遊技釘を含む遊技関連部品を遊技盤により強固に保持することができるようになる。
【００１９】
また、請求項９に記載の遊技機によれば、樹木から切り出されて製造される天然板又は／及び複数の木片から製造される木質系の人工板から所定形状にユニット化したユニット部材を形成するとともに、合成樹脂から成る合成樹脂盤に前記ユニット部材を嵌入可能なユニット嵌入領域を形成し、前記合成樹脂盤のユニット嵌入領域に前記ユニット部材を嵌入することによって前記遊技盤の基板を構成し、前記ユニット嵌入領域は、前記遊技関連部品を止着する止着部材及び／又は前記基板に埋設されて遊技に供する遊技球が衝突する遊技釘の取付位置に対応して形成した。このため、天然板や木質系の人工板の使用量を削減することができる。したがって、天然資源としての天然板、リサイクル資源としての木質系の人工板の消費量を削減でき、森林伐採等の環境破壊防止に協力するとともに、資源の有効活用に協力した遊技機とすることができる。
【発明を実施するための最良の形態】
【００２０】
以下、本発明の実施の形態として、パチンコ装置に適用した場合の形態例を、図面を参照して説明する。
（第１形態例）
まず、第１形態例を説明する。
Ａ．遊技盤の全体構成
図１は本形態例のパチンコ機の遊技盤１の前面側斜視図である。また図２は、遊技盤１の裏面側斜視図である。図１において、符号１は遊技盤であり、前面の略円形領域がガイドレール２で囲まれることにより遊技領域３が形成されている。遊技盤１のベースを構成する基板１ａ（業界でベニヤと呼ばれる板状のベース部材）は、複数の板を重合して成形されるとともに（詳細後述する）、複数の遊技関連部品が取り付けられる。
【００２１】
遊技盤１の前面には、図１に示すように、アウト球流入口４、センターケース１０、普通電動役物タイプの始動入賞口１１、上部始動入賞口１１ｃ、変動入賞装置１２、一般入賞口１３〜１６、普図表示器（図示省略）、普図記憶表示器（図示省略）、普図始動ゲート１９、多数の遊技釘５（図１では図示省略、図５に示す）などが設けられている。
なお遊技釘５は、遊技領域３の上部に飛入した遊技球がこれに当りながら流下するものであり、センターケース１０等の取付部分を除いた遊技領域内に複数本植設されている。この遊技釘５は、本発明の遊技関連部品に含まれる。また、センターケース１０や始動入賞口１１や変動入賞装置１２等も、遊技関連部品に相当し、ビス等の止着部材によって遊技盤１を構成する基板１ａに取り付けられている。
【００２２】
センターケース１０は、遊技盤１の裏側に取り付けられる変動表示装置の表示部２１の前面周囲を囲む部材である。遊技盤１を構成する基板１ａには、センターケース１０をはめ込むためのセンターケース用開口８５（後述する図６に示す）が形成され、センターケース１０は、遊技盤１の前面からこのセンターケース用開口５にはめ込まれて取り付けられる。このセンターケース１０は、変動表示装置の表示部２１を前面から視認可能とする窓用開口部１０ａを、内側に有する。
【００２３】
このセンターケース１０は、内側の窓用開口部１０ａの底部に、遊技球が転動可能な遊技球転動面１０ｂ（いわゆる球見せ用のステージ）が形成されている。
このセンターケース１０の左側部には、遊技球をセンターケース１０内に誘導するワープ誘導部１０ｃが設けられている。このワープ誘導部１０ｃ内には、例えばセンターケース１０の上に流下して左に流れ落ちた遊技球等が、図示しない遊技釘に当って、ある程度の確率で流入するようになっている。また、このように流入した遊技球は、ワープ誘導部１０ｃから、遊技球転動面１０ｂ上に流下する構成となっている。
【００２４】
また、センターケース１０の下端中央（上部始動入賞口１１ｃや始動入賞口１１の真上位置）には、始動入賞誘導口１０ｄが形成されている。前記遊技球転動面１０ｂ上に流下した遊技球のうちの一部は、この始動入賞誘導口１０ｄから排出され、上部始動入賞口１１ｃ又は始動入賞口１１へ誘導される（即ち、高確率で上部始動入賞口１１ｃ又は始動入賞口１１に流入する）構成となっている。なお、遊技球転動面１０ｂに流下し、始動入賞誘導口１０ｄから排出されなかった遊技球は、遊技球転動面１０ｂの前端縁から下方に流下するが、この場合は、上部始動入賞口１１ｃ又は始動入賞口１１に入賞する確率は比較的低い。
【００２５】
次に変動表示装置は、数字や文字などの識別情報（場合により特図という）を表示可能な表示部２１（画面）が形成された表示ユニット（例えば、液晶表示装置よりなるもので、図示省略）を内蔵し、複数列の特図を表示可能である。例えば、左側と中央と右側に特図を縦３列に表示し、各列において数字や文字等よりなる特図を停止状態で表示（停止表示）したり、あるいは変動状態（例えば、縦方向にスクロールする状態）で表示（即ち、変動表示）したりすることが可能である。また、表示部２１には、上記特図とは別個に背景画像やキャラクタ画像などの演出用又は情報報知用の画像が表示可能である。
また、変動入賞装置１２は、後述する大当りになったことを条件として開放される大入賞口１２ａを有する装置である。
また、上部始動入賞口１１ｃ及び始動入賞口１１は、後述するように特図の始動入賞口として機能する入賞口であり、下側の指導入賞口１１は、入賞口としての両側の開口部分を開閉する開閉部材１１ａを両側に有する。上部始動入賞口１１ｃは、センターケース１０の中央部下方に配置され、始動入賞口１１は上部始動入賞口１１ｃの真下に配置されている。
【００２６】
次に、普図表示器は、図示省略しているが、例えば変動入賞装置１２の右側に配置され、いわゆる普図の表示を行う表示器（例えば普図としての数字等を表示可能な７セグメントの表示器よりなるもの）である。
また、普図記憶表示器は、図示省略しているが、例えば普図表示器の周囲４箇所に設けられた小さなランプよりなり、そのランプの点灯数によって、普図始動ゲート１９を遊技球が通過することにより発生した普図の始動記憶の数（この場合、上限数が４個）を表示するものである。
【００２７】
次に、遊技盤１の裏面側構成について、図２を参照して説明する。
遊技盤１を構成する基板１ａの裏面側における中央部から上部には、ビス等の止着部材によってケーシング３０が取り付けられ、前述の変動表示装置は、このケーシング３０の内側に配置されている。このケーシング３０の裏側（変動表示装置の裏側）には、サブ制御ユニット３１が脱着可能に設けられている。またケーシング３０の下方には、球寄せ部材３２が取り付けられ、この球寄せ部材３２の裏側には、メイン制御ユニット３３が脱着可能に設けられている。
球寄せ部材３２は、遊技盤１の裏側下部に配置されて、各入賞口や入賞装置に入賞した遊技球（入賞球）を誘導してパチンコ機下方に回収するための部材である。
またメイン制御ユニット３３は、遊技進行のための制御や遊技機全体の統括的制御を行う遊技制御装置等を内蔵するユニットである。またサブ制御ユニット３１は、遊技制御装置から送信される制御情報に基づいて変動表示装置や図示省略したスピーカやランプ類の制御を行う演出制御装置等を内蔵するユニットである。
なお、上記ケーシング３０や球寄せ部材３２等は、遊技関連部品に相当する。
【００２８】
Ｂ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、変動表示装置の画面（表示部２１）には客待ち画像（動画又は静止画）が表示される。
ガイドレール２を介して遊技領域３に打込まれた遊技球が、上部始動入賞口１１ｃ又は始動入賞口１１に入賞すると（即ち、特図の始動入賞があると）、表示部２１において特図の変動表示が行われて、変動表示ゲームが行われる。
【００２９】
そして、この変動表示ゲームの停止表示態様（変動表示により導出された特図の組合せ）が特別表示態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。
【００３０】
上記大当り状態になると、変動入賞装置１２の大入賞口１２ａが、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画像の表示が、表示部２１で実行される。
【００３１】
また、上記特図の変動表示ゲーム中又は大当り中に、上部始動入賞口１１ｃ又は始動入賞口１１にさらに遊技球が入賞したときには、この場合表示部２１で特図始動記憶表示が行われて例えば４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、変動表示ゲームが大当たりで終了すれば大当たり状態に移行し、変動表示ゲームがはずれで終了し始動記憶があれば再度変動表示ゲームが実行され、変動表示ゲームがはずれで終了し始動記憶がなければ客待ち状態に戻り、大当たりが終了して始動記憶があれば再度変動表示ゲームが実行され、大当たりが終了して始動記憶がなければ客待ち状態に戻る流れとなっている。
【００３２】
一方、遊技中に、遊技球が普図始動ゲート１９を通過したときは、普図表示器での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入賞可能となり、その分、特図の変動表示ゲームの実施回数が増えて大当りになる可能性が増す。
また、上記普図の変動表示ゲーム中に、普図始動ゲート１９にさらに遊技球が入賞したときには、普図記憶表示器で普図始動記憶表示が実行されてこの場合４個まで記憶され、普図の変動表示ゲームの終了後に、その記憶に基づいて上記普図の変動表示ゲームが繰り返される。
【００３３】
Ｃ．基板の構成
次に、遊技盤１を構成する基板１ａについて、図３〜図５を参照して説明する。
図３は、基板１ａを構成する複数の板状体を示す斜視図である。図４は、木質系板状体から形成される人工板を説明する図であり、図４（ａ）は第２パーチクルボード（第２木質系板状体）を示す正面図であり、図４（ｂ）は第１パーチクルボード（第１木質系板状体）を示す正面図である。図５は、基板１ａの構造を示す側断面図であり、図５（ａ）は本形態例の構造を示し、図５（ｂ）〜（ｄ）は他の形態例の構造を示す。
【００３４】
遊技盤１を構成する基板１ａは、図３及び図５（ａ）に示すように、複数の板（第１パーチクルボード４１、第２パーチクルボード４２、第３パーチクルボード４３、単板４４、単板４５）を重合して隣り合うものを接着して構成されている。なお、各板を接着する接着剤の層は、この場合、各板の厚さよりも格段に薄く、図示省略している。また、基板１ａの全体の厚さは、通常約２ｃｍ程度である。
この基板１ａは、前述した前面側の遊技関連部品（センターケース１０や始動入賞口１１等）が取り付けられる前面層ＦＬと、前述した裏面側の遊技関連部品（ケーシング３０や球寄せ部材３２等）が取り付けられる裏面層ＢＬと、これら前面層ＦＬおよび裏面層ＢＬの間に構成される中間層ＣＬと、を有する。そして本例の場合には、前面層ＦＬは単板４４によって、裏面層ＢＬは単板４５によって、中間層ＣＬは第１パーチクルボード４１と第２パーチクルボード４２と第３パーチクルボード４３によって、それぞれ構成されている。
【００３５】
ここで、単板４４と単板４５は、天然の樹木から切り出されて製造される天然板（例えば、ブナ等の樹木を剥がして作る単板）である。これら単板４４と単板４５は、遊技釘５等の抜け防止のため、及び遊技関連部品を止着する止着部材（例えば図５に示すビス６のような部材）を止着したときの捲れ防止のために設けられ、さらには、木目によって見た目を良くするために設けられている。
また、第１パーチクルボード４１と第２パーチクルボード４２と第３パーチクルボード４３は、いわゆるパーチクルボードである。パーチクルボードは、複数の木片から製造される木質系の人工板の一種であり、一般的には、木材の小片を接着剤と混合し圧縮成形してなる板状体である。
本例では、第１パーチクルボード４１と第３パーチクルボード４３は、図４（ｂ）に示す如く、微細な木片を圧縮成形したものであり、本発明の第１木質系板状体に相当する。また、第２パーチクルボード４２は、図４（ａ）に示す如く、第１パーチクルボード４１や第３パーチクルボード４３よりも大きな木片を圧縮成形したものであり、本発明の第２木質系板状体に相当する。
【００３６】
またこの場合、前面層ＦＬである単板４４と、中間層ＣＬの一部である第１パーチクルボード４１とが、前面側の遊技関連部品（遊技釘５やセンターケース１０や始動入賞口１１等）を止着する前面側の脱落防止層ＳＬを構成している。一方、裏面層ＢＬである単板４５と、中間層ＣＬの一部である第３パーチクルボード４３とが、裏面側の遊技関連部品（ケーシング３０や球寄せ部材３２等）を止着する裏面側の脱落防止層ＳＬを構成している。脱落防止層ＳＬは、遊技釘５、或いは他の遊技関連部品を止着する止着部材（例えば図５に示すビス６のような部材）の脱落を防止する層である。この脱落防止層ＳＬは、図５に示すように、前記止着部材の止着部のほぼ全域及び遊技釘５の植設部位（基板１ａに埋まる部分）のほぼ全域が挿通可能な厚みで形成されている。
【００３７】
なお、第２パーチクルボード４２は、図４（ａ）に示す如く、廃材等の木片を細かく砕き、接着剤を使用して圧縮成形している。しかし、砕いた木片の大きさが均一でないため、遊技釘５の打ち込み強度（固定の強度）が十分ではない。例えば、この第２パーチクルボード４２だけで遊技盤１の基板１ａを構成した場合、打ち込んだ遊技釘５を出荷時に調整しようとして叩くと、遊技釘５が抜けてしまう恐れがある。
これに対して第１パーチクルボード４１と第３パーチクルボード４３は、図４（ｂ）に示す如く、木片を細かく、かつ、略均一になるように砕き、接着剤を使用して圧縮成形している。これにより、第１パーチクルボード４１と第３パーチクルボード４３は、各木片が略均一の形状となっているため、圧縮すると各木片どうしが強固に接着されており、遊技釘５を打ち込んで調整を行っても遊技釘５の抜けを防止できる。
また、第１パーチクルボード４１と第３パーチクルボード４３として、いわゆるＭＤＦ（Medium-Density Fiberboard；中密度繊維板）を使用してもよい。ＭＤＦは、前記人工板の一種であり、木片を細かく砕いて繊維化し、それらに接着剤を加えて圧縮して成形したボードである。このＭＤＦは、パーチクルボードに比べて、より表面が緻密で滑らかであり、強度も勝る。
【００３８】
以上説明した本例の遊技機によれば、遊技盤１を構成する基板１ａを、遊技関連部品が取り付けられる前面層ＦＬおよび裏面層ＢＬと、該前面層ＦＬおよび裏面層ＢＬの間に構成される中間層ＣＬと、から構成し、前面層ＦＬ及び裏面層ＢＬは、樹木から切り出されて製造される天然板（単板４４，４５）にて構成し、中間層ＣＬは、複数の木片から製造される木質系の人工板（第１パーチクルボード４１、第２パーチクルボード４２、第３パーチクルボード４３）にて構成したので、天然板の使用量を削減することができる。
したがって、天然資源の消費量を削減でき、森林伐採等の環境破壊防止に協力した遊技機とすることができる。
また、基板１ａの前面層ＦＬ及び裏面層ＢＬには、従来同様に天然板（単板４４，４５）を使用しているので、遊技盤１を形成するために新たな設備を導入する必要がなく、製造負担が発生することも防止できる。
【００３９】
また、前面層ＦＬ及び中間層ＣＬの一部（単板４４と第１パーチクルボード４１）、或いは、裏面層ＢＬ及び中間層ＣＬの一部（単板４５と第３パーチクルボード４３）によって、遊技関連部品を止着する止着部材の脱落を防止する脱落防止層ＳＬを構成し、この脱落防止層ＳＬは、止着部材の止着部のほぼ全域が挿通可能な厚みで形成したので、遊技関連部品を遊技盤に強固に保持することができる。したがって、遊技関連部品に遊技球が衝突して遊技盤１から脱落する等の不具合が発生することを防止することができる。
【００４０】
また、遊技関連部品は、遊技に供する遊技球が衝突する遊技釘５を含み、脱落防止層ＳＬは、この遊技釘５の植設部位のほぼ全域が挿通されるので、遊技釘５を遊技盤１に強固に保持することができる。したがって、遊技釘５に遊技球が衝突して遊技盤１から脱落する等の不具合が発生することを防止することができる。
【００４１】
また、人工板は、微細な木片を圧縮成形した第１木質系板状体（第１パーチクルボード４１、第３パーチクルボード４３）と、第１木質系板状体よりも大きな木片を圧縮成形した第２木質系板状体（第２パーチクルボード４２）と、から形成し、第１木質系板状体を、第２木質系板状体よりも前面層側及び裏面層側に配設し、該第１木質系板状体を脱落防止層ＳＬの一部としたので、遊技関連部品及び遊技釘５を遊技盤１に強固に保持することができる。したがって、遊技関連部品及び遊技釘５に遊技球が衝突して遊技盤１から脱落する等の不具合が発生することを防止することができる。また、基板１ａの中心側に、第１木質系板状体よりも大きな木片を圧縮成形した比較的安価な第２木質系板状体を使用しているので、遊技盤１のコスト低減が図れる。
【００４２】
なお、パーチクルボードは、家具業界では一般的に使用されているものであり、遊技機の分野でもスロットマシンの筐体やパチンコ機の外枠の一部に使用されている。しかし、これらに使用されている場合は、何れも一度取り付けられたビス等の止着部材が頻繁に着脱されることもなければ、遊技釘のように継続的な圧力が加わることも無く、ある一定の強度を有していれば問題はない。一方、遊技盤１は継続的に遊技球が流下し、これに設けられた遊技釘５やその他の部品に加わる圧力は並大抵のものではない。長時間、遊技球からの圧力が加わると金属性の遊技釘５であっても折れたり、遊技盤１から抜け落ちたりする。このような箇所に一般的なパーチクルボードを使用したのでは、その圧力に耐え得ることができない。ところが、本例の基板１ａよりなる遊技盤１であれば、上述したような脱落防止層ＳＬを設けてあるため、遊技釘５等の脱落が防止でき、しかも天然板の使用量を削減できる。
【００４３】
（第２形態例）
次に、第２形態例を説明する。なお、以下の形態例は、遊技盤１を構成する基板１ａに特徴を有し、他の構成は第１形態例と同じでよい。
図５（ｂ）は、この第２形態例における基板１ａの構造を示す断面図である。本例では、基板１ａの脱落防止層ＳＬにおいて、第１木質系板状体（第１パーチクルボード４１や第３パーチクルボード４３）と第２木質系板状体（第２パーチクルボード４２）との間に、単板４６，４７が配設されている。
単板４６，４７は、前面層ＦＬや裏面層ＢＬを構成する単板４４，４５と同じ天然板である。またこの場合、第１パーチクルボード４１と第３パーチクルボード４３の厚さ寸法は、単板４６，４７の厚さ分だけ薄くなっている。
【００４４】
本例における脱落防止層ＳＬは、第１木質系板状体（第１パーチクルボード４１や第３パーチクルボード４３）と第２木質系板状体（第２パーチクルボード４２）との間にも、天然板（単板４６，４７）を配設した構成であるので、第１木質系板状体を挟むように配設された２枚の天然板（単板４４，４６、或いは単板４５，４７）に対して、止着部材と遊技釘５が取り付けられることとなり、遊技釘５を含む遊技関連部品を遊技盤１により強固に保持することができる。
【００４５】
（第３形態例）
次に、第３形態例を説明する。
図５（ｃ）はこの第３形態例における基板１ａの構造を示す断面図である。本例は、基板１ａの脱落防止層ＳＬの全厚みが３枚の天然板で形成されている。即ち、前面側の脱落防止層ＳＬは単板４４，４８，４６よりなり、裏面側の脱落防止層ＳＬは単板４５，４９，４７よりなる。なお、単板４８，４９も、前面層ＦＬや裏面層ＢＬを構成する単板４４，４５と同じ天然板である。またこの場合、第１パーチクルボード４１と第３パーチクルボード４３は削除されている。
本例によれば、脱落防止層ＳＬの全厚みが天然板で形成されているので、遊技釘５を含む遊技関連部品を遊技盤１により強固に保持することができるようになる。
【００４６】
（第４形態例）
次に、第４形態例を説明する。
図５（ｄ）はこの第４形態例における基板１ａの構造を示す断面図である。本例では、基板１ａの脱落防止層ＳＬにおいて、天然板（単板４４や単板４５）と第１木質系板状体（第１パーチクルボード４１や第３パーチクルボード４３）との間に、当該天然板と第１木質系板状体とを強固に接着する接着部材から構成される接着層５１，５２が形成されている。
接着層５１，５２は、単板４４，４５等と同程度の厚さである。またこの場合、第１パーチクルボード４１と第３パーチクルボード４３の厚さ寸法は、接着層５１，５２の厚さ分だけ薄くなっている。
【００４７】
本例によれば、脱落防止層ＳＬにおける天然板と第１木質系板状体との間に、当該天然板と第１木質系板状体とを強固に接着する接着部材から構成される接着層５１，５２を形成したので、この接着層５１，５２を止着部材及び遊技釘５が挿通することとなり、遊技釘を含む遊技関連部品を遊技盤１により強固に保持することができるようになる。
【００４８】
（第５形態例）
次に、第５形態例を説明する。
図６はこの第５形態例の遊技盤１を構成する基板１ａの構造を示す正面図である。本例は、前記前面層ＦＬ、中間層ＣＬ及び裏面層ＢＬを有して所定形状にユニット化したユニット部材７１〜７４を形成するとともに、合成樹脂から成る合成樹脂盤８０にユニット部材７１〜７４を嵌入可能なユニット嵌入領域８１〜８４を形成し、合成樹脂盤８０のユニット嵌入領域８１〜８４にユニット部材７１〜７４をそれぞれ嵌入することによって遊技盤１の基板１ａを構成している。
ここで、ユニット嵌入領域８１〜８４は、この場合少なくとも遊技釘５の取付位置に対応して形成されている。
【００４９】
ユニット部材７１〜７４は、面方向の形状と大きさがユニット嵌入領域８１〜８４に対応したものとなっていることを除けば、前述した形態例（第１形態例から第４形態例のうちの何れか）の基板１ａと同様の構造（前述した複数の板或いは接着層を重合させた構造）でよい。
また、ユニット部材７１〜７４の外周面と、ユニット嵌入領域８１〜８４の内周面との間には、接着剤よりなる薄い接着層が設けられ、この接着層によってユニット部材７１〜７４が合成樹脂盤８０に固定されている。
なお、図６において、符号８５〜８７は遊技関連部品を取り付けるために合成樹脂盤８０に形成された開口であり、このうち符号８５は、センターケース１０を取り付けるためのセンターケース用開口である。
【００５０】
本例によれば、基板１ａにおける必要な箇所のみに部分的に天然板及び人工板よりなるユニット部材７１〜７４が使用される構成であるから、天然板及び人工板の使用量を削減することができる。したがって、天然資源としての天然板、リサイクル資源としての人工板の消費量を削減でき、森林伐採等の環境破壊防止に協力するとともに、資源の有効活用に協力した遊技機とすることができる。
【００５１】
なお、本発明は上述した形態例に限られず、各種の変形や応用があり得る。
例えば、前面層ＦＬと裏面層ＢＬのうちの一方だけ（止着部材等の脱落防止の必要度が高い方のみ）を、樹木から製造される天然板によって構成し、前面層ＦＬと裏面層ＢＬのうちの他方は、天然板でなく、例えば複数の木片から製造される木質系の人工板によって構成してもよい。
また、本発明におけるユニット嵌入領域（例えば第５形態例におけるユニット嵌入領域８１〜８４）は、遊技関連部品の止着部材の取付位置に対応して形成されていてもよい。また、本発明におけるユニット部材（例えば第５形態例におけるユニット部材７１〜７４）の構造は、前述した第１形態例〜第４形態例に示した複数の板の重合構造には限られない。本発明のユニット部材は、例えば、全体が天然板によって構成されていてもよい。全体が天然板であっても、基板１ａの必要箇所に部分的に使用されているので、天然資源の消費量削減に貢献できる。
また、本発明における「複数の木片から製造される木質系の人工板」としては、前述したパーチクルボードやＭＤＦ以外のものが使用されてもよい。例えば、ＯＳＢ（Oriented Strand Board；配向性ストランドボード）を使用してもよい。ＯＳＢは、広葉樹を薄い削片状にしたものを配向させて積層接着したものである。
【００５２】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５３】
【図１】パチンコ機の遊技盤の前面側斜視図である。
【図２】パチンコ機の遊技盤の裏面側斜視図である。
【図３】遊技盤を構成する板状体を示す斜視図である。
【図４】人工板を説明する図であり、（ａ）は第２パーチクルボード（第２木質系板状体）を示す正面図であり、（ｂ）は第１パーチクルボード（第１木質系板状体）を示す正面図である。
【図５】遊技盤の構造を示す側断面図であり、（ａ）は第１形態例の構造を示し、（ｂ）〜（ｄ）は他の形態例の構造を示す。
【図６】第５形態例の遊技盤の構造を示す正面図である。
【符号の説明】
【００５４】
１  遊技盤
１ａ  基板（遊技盤を構成する基板）
２  ガイドレール（遊技関連部品）
３  遊技領域
５  遊技釘（遊技関連部品）
１０  センターケース（遊技関連部品）
１１  始動入賞口（遊技関連部品）
１１ｃ  上部始動入賞口（遊技関連部品）
１２  変動入賞装置（遊技関連部品）
１３〜１６  一般入賞口（遊技関連部品）
１９  普図始動ゲート（遊技関連部品）
３０  ケーシング（遊技関連部品）
３２  球寄せ部材（遊技関連部品）
４１  第１パーチクルボード（第１木質系板状体）
４２  第２パーチクルボード（第２木質系板状体）
４３  第３パーチクルボード（第１木質系板状体）
４４〜４９  単板（天然板）
５１，５２  接着層
７１〜７４  ユニット部材
８０  合成樹脂盤
８１〜８４  ユニット嵌入領域
ＢＬ  裏面層
ＣＬ  中間層
ＦＬ  前面層
ＳＬ  脱落防止層
【図１】
2009072526.tif 000003
【図２】
2009072526.tif 000004
【図３】
2009072526.tif 000005
【図４】
2009072526.tif 000006
【図５】
2009072526.tif 000007
【図６】
2009072526.tif 000008
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
複数の板を重合して成形される基板に複数の遊技関連部品を取り付けてなる遊技盤を備えた遊技機において、
前記基板は、前記遊技関連部品が取り付けられる前面層および裏面層と、該前面層および裏面層の間に構成される中間層と、から構成し、
前記前面層及び裏面層は、樹木から切り出されて製造される天然板にて構成し、
前記中間層は、複数の木片から製造される木質系の人工板にて構成し、
前記前面層及び前記中間層の一部、及び、前記裏面層及び前記中間層の一部によって、前記遊技関連部品を止着する止着部材の脱落を防止する脱落防止層を構成し、
前記中間層を構成する人工板は、
微細な木片を圧縮成形した第１木質系板状体と、
前記第１木質系板状体よりも大きな木片を圧縮成形した第２木質系板状体と、
から形成し、
前記第１木質系板状体を、前記第２木質系板状体よりも前記前面層側及び裏面層側に配設し、該第１木質系板状体を前記脱落防止層の一部とし、
前記遊技関連部品には、前記基板に埋設されて遊技に供する遊技球が衝突する遊技釘が含まれ、前記脱落防止層に対して前記遊技釘の植設部位のほぼ全域が挿通されるようにしたことを特徴とする遊技機。
【請求項２】
前記脱落防止層は、前記止着部材の止着部のほぼ全域が挿通可能な厚みで形成したことを特徴とする請求項１に記載の遊技機。
【請求項３】
前記脱落防止層は、前記第１木質系板状体と前記第２木質系板状体との間にも、前記天然板を配設したことを特徴とする請求項２に記載の遊技機。
【請求項４】
前記脱落防止層は、前記天然板と前記第１木質系板状体との間に、当該天然板と第１木質系板状体とを強固に接着する接着部材から構成される接着層を形成したことを特徴とする請求項３に記載の遊技機。
【請求項５】
前記前面層、中間層及び裏面層を有して所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記止着部材及び前記遊技釘の取付位置に対応して形成したことを特徴とする請求項４に記載の遊技機。
【請求項６】
基板に複数の遊技関連部品を取り付けてなる遊技盤を備えた遊技機において、
樹木から切り出されて製造される天然板、又は／及び複数の木片から製造される木質系の人工板から、所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記遊技関連部品を止着する止着部材及び／又は前記基板に埋設されて遊技に供する遊技球が衝突する遊技釘の取付位置に対応して形成したことを特徴とする遊技機。
【手続補正２】
【補正対象書類名】明細書
【補正対象項目名】０００５
【補正方法】変更
【補正の内容】
【０００５】
本願請求項１に記載の遊技機は、複数の板を重合して成形される基板に複数の遊技関連部品を取り付けてなる遊技盤を備えた遊技機において、
前記基板は、前記遊技関連部品が取り付けられる前面層および裏面層と、該前面層および裏面層の間に構成される中間層と、から構成し、
前記前面層及び裏面層は、樹木から切り出されて製造される天然板にて構成し、
前記中間層は、複数の木片から製造される木質系の人工板にて構成し、
前記前面層及び前記中間層の一部、及び、前記裏面層及び前記中間層の一部によって、前記遊技関連部品を止着する止着部材の脱落を防止する脱落防止層を構成し、
前記中間層を構成する人工板は、
微細な木片を圧縮成形した第１木質系板状体と、
前記第１木質系板状体よりも大きな木片を圧縮成形した第２木質系板状体と、
から形成し、
前記第１木質系板状体を、前記第２木質系板状体よりも前記前面層側及び裏面層側に配設し、該第１木質系板状体を前記脱落防止層の一部とし、
前記遊技関連部品には、前記基板に埋設されて遊技に供する遊技球が衝突する遊技釘が含まれ、前記脱落防止層に対して前記遊技釘の植設部位のほぼ全域が挿通されるようにしたことを特徴とする。
【手続補正３】
【補正対象書類名】明細書
【補正対象項目名】０００６
【補正方法】変更
【補正の内容】
【０００６】
ここで、「樹木から切り出されて製造される天然板」とは、平削りによって樹木から切り出される無垢板であってもよいが、天然資源の効率的な利用という観点或いはコスト面からは、いわゆるベニヤ板（合板）を製造する際の単板であることが望ましい。ベニヤ板のような合板を製造するには、最初にロータリーレースと呼ばれる装置を用いて原木から中間生成物である単板を作る。この装置は原木丸太の中心を軸に回転させ、刃を当てるもので、丸太は大根のかつら剥きのように薄板となって出てくる。これを所定の長さでカットし、乾燥させることで単板が作られる。この単板を本発明の天然板として利用できる。
また、「複数の木片から製造される木質系の人工板」とは、後述するように例えばパーチクルボードである。
【手続補正４】
【補正対象書類名】明細書
【補正対象項目名】０００７
【補正方法】変更
【補正の内容】
【０００７】
なお、本発明の好ましい態様として、例えば請求項２に記載のように、前記脱落防止層は、前記止着部材の止着部のほぼ全域が挿通可能な厚みで形成した構成としてもよい。
【手続補正５】
【補正対象書類名】明細書
【補正対象項目名】０００８
【補正方法】変更
【補正の内容】
【０００８】
また、例えば請求項３に記載のように、前記脱落防止層は、前記第１木質系板状体と前記第２木質系板状体との間にも、前記天然板を配設した構成としてもよい。
また、例えば請求項４に記載のように、前記脱落防止層は、前記天然板と前記第１木質系板状体との間に、当該天然板と第１木質系板状体とを強固に接着する接着部材から構成される接着層を形成した構成としてもよい。
【手続補正６】
【補正対象書類名】明細書
【補正対象項目名】０００９
【補正方法】変更
【補正の内容】
【０００９】
また、例えば請求項５に記載のように、前記前面層、中間層及び裏面層を有して所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記止着部材及び前記遊技釘の取付位置に対応して形成した構成としてもよい。
【手続補正７】
【補正対象書類名】明細書
【補正対象項目名】００１０
【補正方法】変更
【補正の内容】
【００１０】
また、請求項６に記載の遊技機は、基板に複数の遊技関連部品を取り付けてなる遊技盤を備えた遊技機において、
樹木から切り出されて製造される天然板、又は／及び複数の木片から製造される木質系の人工板から、所定形状にユニット化したユニット部材を形成するとともに、
合成樹脂から成る合成樹脂盤に前記ユニット部材を嵌入可能なユニット嵌入領域を形成し、
前記合成樹脂盤のユニット嵌入領域に前記ユニット部材を嵌入することによって前記基板を構成し、
前記ユニット嵌入領域は、前記遊技関連部品を止着する止着部材及び／又は前記基板に埋設されて遊技に供する遊技球が衝突する遊技釘の取付位置に対応して形成したことを特徴とする。
【手続補正８】
【補正対象書類名】明細書
【補正対象項目名】００１１
【補正方法】変更
【補正の内容】
【００１１】
請求項１に記載の遊技機によれば、遊技盤を構成する基板を、遊技関連部品が取り付けられる前面層および裏面層と、該前面層および裏面層の間に構成される中間層と、から構成し、前面層及び裏面層は、樹木から切り出されて製造される天然板にて構成し、中間層は、複数の木片から製造される木質系の人工板にて構成し、前面層及び中間層の一部、及び、裏面層及び中間層の一部によって、遊技関連部品を止着する止着部材の脱落を防止する脱落防止層を構成し、中間層を構成する人工板は、微細な木片を圧縮成形した第１木質系板状体と、第１木質系板状体よりも大きな木片を圧縮成形した第２木質系板状体と、から形成し、第１木質系板状体を、第２木質系板状体よりも前面層側及び裏面層側に配設し、該第１木質系板状体を脱落防止層の一部とし、遊技関連部品には、基板に埋設されて遊技に供する遊技球が衝突する遊技釘が含まれ、脱落防止層に対して遊技釘の植設部位のほぼ全域が挿通されるようにしたので、天然板の使用量を削減することができ、天然資源の消費量を削減でき、森林伐採等の環境破壊防止に協力した遊技機とすることができる。
また、遊技盤を構成する基板の前面層および裏面層には、従来同様に天然板を使用しているので、遊技盤を形成するために新たな設備を導入する必要がなく、製造負担が発生することも防止できる。
【手続補正９】
【補正対象書類名】明細書
【補正対象項目名】００１２
【補正方法】変更
【補正の内容】
【００１２】
また、遊技盤を構成する基板の中心側に、第１木質系板状体よりも大きな木片を圧縮成形した比較的安価な第２木質系板状体を使用しているので、遊技盤のコスト低減が図れる。
【手続補正１０】
【補正対象書類名】明細書
【補正対象項目名】００１３
【補正方法】変更
【補正の内容】
【００１３】
そして、遊技関連部品及び遊技釘を遊技盤に強固に保持することができ、遊技関連部品及び遊技釘に遊技球が衝突して遊技盤から脱落する等の不具合が発生することを防止することができる。
【手続補正１１】
【補正対象書類名】明細書
【補正対象項目名】００１４
【補正方法】変更
【補正の内容】
【００１４】
また、請求項２に記載の遊技機によれば、脱落防止層は、止着部材の止着部のほぼ全域が挿通可能な厚みで形成したので、遊技関連部品を遊技盤に強固に保持することができる。したがって、遊技関連部品に遊技球が衝突して遊技盤から脱落する等の不具合が発生することを防止することができる。
【手続補正１２】
【補正対象書類名】明細書
【補正対象項目名】００１５
【補正方法】変更
【補正の内容】
【００１５】
また、請求項３に記載の遊技機によれば、脱落防止層は、第１木質系板状体と第２木質系板状体との間にも、天然板を配設したので、第１木質系板状体を挟むように配設された２枚の天然板に対して、止着部材と遊技釘が取り付けられることとなり、遊技釘を含む遊技関連部品を遊技盤により強固に保持することができる。
【手続補正１３】
【補正対象書類名】明細書
【補正対象項目名】００１６
【補正方法】変更
【補正の内容】
【００１６】
また、請求項４に記載の遊技機によれば、脱落防止層は、天然板と第１木質系板状体との間に、当該天然板と第１木質系板状体とを強固に接着する接着部材から構成される接着層を形成したので、接着層を止着部材及び遊技釘が挿通することとなり、遊技釘を含む遊技関連部品を遊技盤により強固に保持することができるようになる。
【手続補正１４】
【補正対象書類名】明細書
【補正対象項目名】００１７
【補正方法】変更
【補正の内容】
【００１７】
また、請求項５に記載の遊技機によれば、前記前面層、中間層及び裏面層を有して所定形状にユニット化したユニット部材を形成するとともに、合成樹脂から成る合成樹脂盤に前記ユニット部材を嵌入可能なユニット嵌入領域を形成し、前記合成樹脂盤のユニット嵌入領域に前記ユニット部材を嵌入することによって前記遊技盤の基板を構成し、前記ユニット嵌入領域は、止着部材及び／又は遊技釘の取付位置に対応して形成した。このため、天然板及び木質系の人工板の使用量を削減することができる。
【手続補正１５】
【補正対象書類名】明細書
【補正対象項目名】００１８
【補正方法】変更
【補正の内容】
【００１８】
したがって、天然資源としての天然板、リサイクル資源としての人工板の消費量を削減でき、森林伐採等の環境破壊防止に協力するとともに、資源の有効活用に協力した遊技機とすることができる。
【手続補正１６】
【補正対象書類名】明細書
【補正対象項目名】００１９
【補正方法】変更
【補正の内容】
【００１９】
また、請求項６に記載の遊技機によれば、樹木から切り出されて製造される天然板又は／及び複数の木片から製造される木質系の人工板から所定形状にユニット化したユニット部材を形成するとともに、合成樹脂から成る合成樹脂盤に前記ユニット部材を嵌入可能なユニット嵌入領域を形成し、前記合成樹脂盤のユニット嵌入領域に前記ユニット部材を嵌入することによって前記遊技盤の基板を構成し、前記ユニット嵌入領域は、前記遊技関連部品を止着する止着部材及び／又は前記基板に埋設されて遊技に供する遊技球が衝突する遊技釘の取付位置に対応して形成した。このため、天然板や木質系の人工板の使用量を削減することができる。したがって、天然資源としての天然板、リサイクル資源としての木質系の人工板の消費量を削減でき、森林伐採等の環境破壊防止に協力するとともに、資源の有効活用に協力した遊技機とすることができる。